(57)【要約】【課題】  ユーザーインターフェースデバイスを用い、階層構造を有する操作メニューシステムにおいて、現在位置する履歴階層を表現できる。【解決手段】  「東京都」にカーソル１０９がフォーカスし、ジョグダイヤル４が押し込まれて選択が決定されると、履歴階層メニュー領域１０６ａには「東京都」が履歴情報として「住所で目的地を選ぶ」の下に表示される。このとき、カレントメニュー領域１０６ｂには、「東京都」の下階層情報となる、「青ヶ島村」から「国立市」までが表示される。初期状態においてカーソル１０９は「青ヶ島村」にフォーカスされている。【選択図】  図１９
2008009456.tif 000002
【特許請求の範囲】
【請求項１】
地名を階層的に記憶する地名記憶部と、
第１の表示エリアに前記地名記憶部に記憶された第１の地名を表示し、第２の表示エリアに前記第１の地名を含む地図を表示し、第３の表示エリアに前記第１の地名の下位階層にある第２の地名のリストを表示する表示部と、
前記第３の表示エリアに表示されたリスト上を移動するカーソルを操作するカーソル操作入力部と、
前記カーソルが位置する前記リスト上の第２の地名を選択する選択操作入力部と
を有することを特徴とする地図表示装置。
【請求項２】
さらに、前記選択操作入力部により選択された第２の地名を含む地図を前記第２の表示エリアに表示させる制御部とを有する請求項１に記載の地図表示装置。
【請求項３】
前記選択操作入力部により選択された第２の地名を含む地図は、前記第１の地名を含む地図より大きな倍率であることを特徴とする請求項２に記載の地図表示装置。
【請求項４】
前記第１の表示エリアは、前記選択された地名の選択履歴情報を表示することを特徴とする請求項１に記載の地図表示装置。
【請求項５】
当該地図表示装置は、ネットワークを介してサーバと接続され、前記サーバから前記表示される地図を取得する取得手段を備えることを特徴とする請求項１に記載の地図表示装置。
【請求項６】
地名を階層的に記憶する地名記憶部と表示部を備えた地図表示装置に地図を表示する地図表示方法であって、
第１の表示エリアに前記地名記憶部に記憶された第１の地名を表示し、第２の表示エリアに前記第１の地名を含む地図を表示し、第３の表示エリアに前記第１の地名の下位階層にある第２の地名のリストを表示する表示ステップと、
前記第３の表示エリアに表示されたリスト上を移動するカーソルを操作するカーソル操作入力ステップと、
前記カーソルが位置する前記リスト上の第２の地名を選択する選択操作入力ステップと
を有することを特徴とする地図表示方法。
【請求項７】
さらに、前記選択操作入力ステップにて選択された第２の地名を含む地図を前記第２の表示エリアに表示させる表示更新ステップを有する請求項６に記載の地図表示方法。
【請求項８】
前記選択操作入力ステップにて選択された第２の地名を含む地図は、前記第１の地名を含む地図より大きな倍率であることを特徴とする請求項７に記載の地図表示方法。
【請求項９】
さらに、前記第１の表示エリアに前記選択された地名の選択履歴情報を表示する履歴表示ステップを有することを特徴とする請求項６に記載の地図表示方法。
【請求項１０】
前記地図表示装置はネットワークを介してサーバと接続され、前記サーバから前記表示される地図を取得する取得ステップを有することを特徴とする請求項６に記載の地図表示方法。
【請求項１１】
地名を階層的に記憶する地名記憶部と表示部を備えた地図表示装置に地図を表示するために実行される地図表示プログラムを格納している記録媒体であって、
第１の表示エリアに前記地名記憶部に記憶された第１の地名を表示し、第２の表示エリアに前記第１の地名を含む地図を表示し、第３の表示エリアに前記第１の地名の下位階層にある第２の地名のリストを表示する表示ステップと、
前記第３の表示エリアに表示されたリスト上を移動するカーソルを操作するカーソル操作入力ステップと、
前記カーソルが位置する前記リスト上の第２の地名を選択する選択操作入力ステップと
を有する地図表示プログラムを格納していることを特徴とする記録媒体。
【発明の詳細な説明】
【技術分野】
【０００１】
本発明は、表示部に地図を表示する地図情報装置、地図表示方法及び地図表示プログラムを格納している記録媒体に関する。
【背景技術】
【０００２】
携帯電話装置、携帯情報端末等の携帯用小型の情報処理装置では、片手での操作性を向上したり、操作手順を簡易化するために、単一軸制御のユーザーインターフェースデバイスであるジョグダイヤルを備えているものがある。
【０００３】
例えば、ジョグダイヤルを使用した携帯電話装置等の機器の操作メニューは、ジョグダイヤルの回転移動と、押し込みによる決定操作といった極めてシンプルなメニュー操作を実現できる。
【０００４】
一方、米国マイクロソフト社製のWindows95（商標）やWindows98（商標）に代表される、パーソナルコンピュータ（ＰＣ）用や、携帯情報端末（Personal Digital Assistant：ＰＤＡ）用のオペレーティング（Operating System：ＯＳ）の場合、いわゆる「メニュー」といわれる随時階層構造が辿るメニューインターフェースがある。また、メニューではないが、ファイルシステムの基本インターフェースとして、ツリービューとリストビューを横に並べるインターフェース、（例えば米国マイクロソフト社製のWindowsでは「エクスプローラウィンドウ（Explore Window）」がそれにあたる）があり、それらにより、ツリー構造の現在のポジションを示したり、直接、任意の階層に戻ることなどができる。
【０００５】
【特許文献１】特開２０００−３５３４０号公報
【特許文献２】特開２０００−２８３７７３号公報
【発明の開示】
【発明が解決しようとする課題】
【０００６】
ところで、前記ジョグダイヤルを用いた操作メニューにおいてメニュー自体が階層構造を持っている場合でも、そのツリー構造のポジションまでを表現することはできないため、ユーザが制御中にメニュー内の位置を知ることが困難であった。また、階層を戻る場合も、トップ（Top）メニューに戻るか、直前の階層に戻ることしかできず、ユーザに提供できる操作の柔軟性においては、十分ではなかった。
【０００７】
また、前記オペレーティング（Operating System：ＯＳ）の場合、いわゆる「メニュー」といわれる随時階層構造が辿るメニューインターフェースや、ツリービューとリストビューを横に並べるインターフェースがあるが、これらはその構造上、表示部にある程度の横幅を確保する必要があり、人が手にもって使う携帯電話装置など縦型の筐体や、縦型の表示パネルが要求される携帯機器のインターフェースとしては、必ずしも適切ではなかった。
【０００８】
本発明は、前記実情に鑑みてなされたものであり、ユーザーインターフェースデバイスを用い、階層構造を有する操作メニューシステムにおいて、現在位置する履歴階層を表現できる地図表示装置、地図表示方法及び地図表示プログラムを格納した記録媒体の提供を目的とする。
【０００９】
また、履歴階層自体がメニューの一部になり、そこにフォーカスを移動し決定することで、辿ってきた特定の階層に戻ることが可能となる地図表示装置、地図表示方法及び地図表示プログラムを格納した記録媒体の提供を目的とする。
【００１０】
また、カレントメニューにおける、複数のメニュー項目をサイクリックに表示したり、フォーカスを受けたメニューの文字列が表示部上でスクロールするなど、メニュー自体の横幅を抑えることができる地図表示装置、地図表示方法及び地図表示プログラムを格納した記録媒体の提供を目的とする。
【課題を解決するための手段】
【００１１】
本発明に係る地図表示装置は、前記課題を解決するために、地名を階層的に記憶する地名記憶部と、第１の表示エリアに前記地名記憶部に記憶された第１の地名を表示し、第２の表示エリアに前記第１の地名を含む地図を表示し、第３の表示エリアに前記第１の地名の下位階層にある第２の地名のリストを表示する表示部と、前記第３の表示エリアに表示されたリスト上を移動するカーソルを操作するカーソル操作入力部と、前記カーソルが位置する前記リスト上の第２の地名を選択する選択操作入力部とを有する。
【００１２】
本発明に係る地図表示方法は、前記課題を解決するために、地名を階層的に記憶する地名記憶部と表示部を備えた地図表示装置に地図を表示する地図表示方法であって、第１の表示エリアに前記地名記憶部に記憶された第１の地名を表示し、第２の表示エリアに前記第１の地名を含む地図を表示し、第３の表示エリアに前記第１の地名の下位階層にある第２の地名のリストを表示する表示ステップと、前記第３の表示エリアに表示されたリスト上を移動するカーソルを操作するカーソル操作入力ステップと、前記カーソルが位置する前記リスト上の第２の地名を選択する選択操作入力ステップとを有する。
【００１３】
本発明に係る記録媒体は、前記課題を解決するために、地名を階層的に記憶する地名記憶部と表示部を備えた地図表示装置に地図を表示するために実行される地図表示プログラムを格納している記録媒体であって、第１の表示エリアに前記地名記憶部に記憶された第１の地名を表示し、第２の表示エリアに前記第１の地名を含む地図を表示し、第３の表示エリアに前記第１の地名の下位階層にある第２の地名のリストを表示する表示ステップと、前記第３の表示エリアに表示されたリスト上を移動するカーソルを操作するカーソル操作入力ステップと、前記カーソルが位置する前記リスト上の第２の地名を選択する選択操作入力ステップとを有する地図表示プログラムを格納している。
【発明の効果】
【００１４】
本発明によれば、地図を表示しながら、現在位置する履歴階層を表現できる。また、履歴階層自体がメニューの一部になり、そこにフォーカスを移動し決定することで、地図表示のために辿ってきた特定の階層に戻ることが可能となる。カレントメニューにおける、複数のメニュー項目をサイクリックに表示したり、フォーカスを受けたメニューの文字列が表示部上でスクロールするなど、メニュー自体の横幅を抑えることができる。
【発明を実施するための最良の形態】
【００１５】
以下、本発明に係る地図表示装置及び地図表示方法のいくつかの実施の形態について図面を参照しながら説明する。
【００１６】
先ず、第１の実施の形態について図１〜図８を用いて説明する。この第１の実施の形態は、図１に示すように、ＲＯＭ１０１に格納されたメニュー表示プログラムを実行し、メニューシステムとして機能する情報処理装置１００であり、ユーザによる操作を受け付ける操作部１０２と、画像情報を所定の表示領域に表示する表示部１０３と、履歴情報と現在のメニュー階層の項目とを区別して表示部１０３上の表示領域に縦方向に表示させるコントローラ１０４とを備える。コントローラ１０４は、ＲＯＭ１０１、操作部１０２及び表示部１０３に、バス１０５を介して接続されている。
【００１７】
メニュー表示プログラムは、本発明の情報処理方法の具体例となるものである。本発明の情報処理方法は、操作部１０２を用いての選択の対象となる項目を表示部１０３に表示すると共に、前記項目の表示に関する履歴情報を表示部１０３に階層的に表示し、表示部１０３における前記項目の表示及び選択と、前記履歴情報の階層的な表示及び選択とを制御するものである。
【００１８】
操作部１０２には、単一軸制御のユーザーインターフェースデバイスとなる、ジョグダイヤル等を用いる。ジョグダイヤルは、回転操作に対応して表示部１０３上のカーソルを移動し、押し込み操作に対応して、カーソルが移動されている項目を決定する。ジョグダイヤルは、図２に示すように、接点取り付け基板１１の上に回転型エンコーダ部１２とプッシュスイッチ部１３とを配してなる。回転型エンコーダ部１２は、回転されることにより前記カーソルを移動させ、前記各メニュー項目を選択的に目立たせる。回転型エンコーダ部１２は、移動用ガイドレール１４に沿って一定の範囲で水平方向にスライドできるようにされている。プッシュスイッチ部１３は固定されており、回転型エンコーダ部１２が矢印Ｈ１方向に押し込まれることを検知して、前記「決定」コマンドを出す。プッシュスイッチ部１３は、操作ボタン３０を回転型エンコーダ部１２に対向させている。回転型エンコーダ部１２は外周操作タイプの円盤状操作つまみ２７によって覆われている。
【００１９】
表示部１０３は液晶表示装置（ＬＣＤ）でなり、後述する、メニュー全体表示領域として使われるが、その大きさは、装置自体の小型化の影響により、図４以降に示すように制限がある。
【００２０】
コントローラ１０４は、操作部１０２の操作に応じて過去から現在までに辿った操作メニューの履歴情報と、現在のメニュー階層の項目とを区別して表示部１０３上の後述する表示領域に縦方向に表示させる。
【００２１】
図３には、情報処理装置１００が前記メニュー表示プログラムを実行して機能するメニューシステムの構造を示す。「トップメニュー“Top Menu”」は、例えば三つのメニュー「メニューＡ“MenuＡ”」、「メニューＢ“MenuＢ”」、「メニューＣ“MenuＣ”」に遷移する。さらに、「メニューＡ“MenuＡ”」は、「メニューＡ-１“MenuＡ-１”」、「メニューＡ-２“MenuＡ-２”」、「メニューＡ-３“MenuＡ-３”」に遷移する。また、さらに「メニューＡ-１“MenuＡ-１”」は、「メニューＡ-１-１“MenuＡ-１-１”」、「メニューＡ-１-２“MenuＡ-１-２”」、「メニューＡ-１-３“MenuＡ-１-３”」、「メニューＡ-１-４“MenuＡ-１-４”」、「メニューＡ-１-５“MenuＡ-１-５”」、「メニューＡ-１-６“MenuＡ-１-６”」に遷移する。そして、この内の「メニューＡ-１-１“MenuＡ-１-１”」は、さらに、「メニューＡ-１-１-1“MenuＡ-１-１-１”」と、「メニューＡ-１-１-２“MenuＡ-１-１-２”」に遷移し、「メニューＡ-１-４“MenuＡ-１-４”」は、さらに、「メニューＡ-１-４-１“MenuＡ-１-４-１”」と、「メニューＡ-１-４-２“MenuＡ-１-４-２”」に遷移する。
【００２２】
また、「メニューＢ“MenuＢ”」は、「メニューＢ-１“MenuＢ-１”」、「メニューＢ-２“MenuＢ-２”」に、また、「メニューＣ“MenuＣ”」は、「メニューＣ-１“MenuＣ-１”」、「メニューＣ-２“MenuＣ-２”」に遷移する。
【００２３】
図４には、前記図３に示したメニューシステムとして機能するときの、情報処理装置１００の表示部１０３上のメニュー全体表示領域１０６における表示例を示す。
【００２４】
このメニュー全体表示領域１０６は、履歴階層メニュー領域１０６ａと、カレントメニュー領域１０６ｂとに分けられる。
【００２５】
履歴階層メニュー領域１０６ａは、操作部１０２の操作に応じて過去に辿った操作の履歴から現在の階層までの履歴情報を表示すると共に操作部１０２を用いたユーザによる選択動作が行われる領域である。階層が増える毎に行が、例えば「トップメニュー“TOP Menu”」、「--メニューＡ“--MenuＡ”」、「---メニューＡ-１“---MenuＡ-１”」のように増え、現在の階層「---メニューＡ-１“---MenuＡ-１”」を最下層に表示する。インデントやマーク１０７により階層構造であることを示す。また、操作部１０２により移動され、決定されると、後述するように、その階層まで直接戻ることができる。
【００２６】
カレントメニュー領域１０６ｂは、現在のメニュー階層の項目を示す。さらに下位項目があるメニューには、フォルダマーク１０８が付く。
【００２７】
操作部１０２の操作に応じてメニュー全体表示領域１０６中に表示されるカーソル１０９は、後述するように、履歴階層メニュー領域１０６ａ、カレントメニュー領域１０６ｂをシームレスに移動する。また、履歴階層メニュー領域１０６ａ中の最上位メニューとカレントメニュー領域１０６ｂの最下位メニューとの間を連続的に移動する。
【００２８】
カーソル１０９は、操作部１０２であるジョグダイヤル（インプットデバイス）の回転操作に応じて移動する。カーソル１０９が移動され、ジョグダイヤルの押し込みに対応した「決定」コマンドで選択されたメニューがコントローラ１０４により実行される。カーソル１０９が移動されてフォーカスされたメニュー項目は文字のフォントを大きくする。また、メニュー項目の名称が長い場合は、選択時にスクロール表示する。
【００２９】
次に、操作部１０２としてジョグダイヤル（ここではジョグダイヤル１０２と記す）を用いたときの、前記シームレスなカーソルの移動、下階層のメニューの選択と表示、選択された階層までの直接戻りの具体例について図５及び図６を用いて説明する。
【００３０】
先ず、シームレスなカーソルの移動の具体例について説明する。初めに、カーソル１０９は、図５にＮＯ．１で示したメニュー全体表示領域（以下、メニュー全体表示領域は変化状態に応じてＮＯ．＃で表す）の履歴階層メニュー領域１０６ａに表示されている、「トップメニュー“TOP Menu”」にフォーカスしている（ステップＳ１）。カーソル１０９が「トップメニュー“TOP Menu”」にフォーカスしているこの状態で、ジョグダイヤル１０２を押し込んで「決定」すると、このメニュー表示は非表示状態となる。
【００３１】
ＮＯ．１のカレントメニュー領域１０６ｂには、「メニューＡ“MenuＡ”」、「メニューＢ“MenuＢ”」、「メニューＣ“MenuＣ”」、「メニューＤ“MenuＤ”」という四つのメニューがフォルダマーク１０８付で表示されている。ここで、ジョグダイヤル１０２を下に回す（ステップＳ２）と、カーソル１０９は、ＮＯ．４のカレントメニュー領域１０６ｂの「メニューＡ“MenuＡ”」に移動する。また、ステップＳ３でジョグダイヤル１０２を下に回すと、カーソル１０９は図６に示すＮＯ．７のカレントメニュー領域１０６ｂの「メニューＢ“MenuＢ”」に移動する。さらに、ステップＳ４、ステップＳ５でジョグダイヤル１０２をそれぞれ下に回すと、カーソル１０９はＮＯ．８、ＮＯ．９のカレントメニュー領域１０６ｂの「メニューＣ“MenuＣ”」、「メニューＤ“MenuＤ”」に移動する。そして、ステップＳ６でジョグダイヤル１０２をさらに下に回すと、カーソル１０９は、図５に示すＮＯ．１の履歴階層メニュー領域１０６ａにある「トップメニュー“TOP Menu”」に移動する。また、ＮＯ．５に示すように、カレントメニュー領域１０６ｂに表示されている「メニューＡ-１“MenuＡ-１”」、「メニューＡ-２“MenuＡ-２”」、「メニューＡ-３“MenuＡ-３”」、「メニューＡ-４“MenuＡ-４”」の内、「メニューＡ-１“MenuＡ-１”」上にあるカーソル１０９は、ジョグダイヤル１０２を上に回す（ステップＳ３１）ことにより、ＮＯ．２の履歴階層メニュー領域１０６ａにある「--メニューＡ“--MenuＡ”」に移動する。また、ＮＯ．６に示すように、カレントメニュー領域１０６ｂに表示されている「メニューＡ-１-１“MenuＡ-１-１”」、「メニューＡ-１-２“MenuＡ-１-２”」、「メニューＡ-１-３“MenuＡ-１-３”」、「メニューＡ-１-４“MenuＡ-１-４”」の内、「メニューＡ-１-１“MenuＡ-１-１”」上にあるカーソル１０９は、ジョグダイヤル１０２を上に回す（ステップＳ３２）ことにより、ＮＯ．３の履歴階層メニュー領域１０６ａにある「---メニューＡ-１“--MenuＡ-１”」に移動する。
【００３２】
次に、ジョグダイヤル１０２の操作に応じた下階層のメニューの選択と表示の具体例について説明する。メニュー全体表示領域がＮＯ．４の状態で、カレントメニュー領域１０６ｂの「メニューＡ“MenuＡ”」がジョグダイヤル１０２の回転操作と押し込み操作に応じて決定される（ステップＳ１１）と、ＮＯ．５に示すように、「メニューＡ“MenuＡ”」を選択したことを示す履歴情報が履歴階層メニュー領域１０６ａに「--メニューＡ“--MenuＡ”」と表示され、カレントメニュー領域１０６ｂには下階層の「メニューＡ-１“MenuＡ-１”」、「メニューＡ-２“MenuＡ-２”」、「メニューＡ-３“MenuＡ-３”」、「メニューＡ-４“MenuＡ-４”」がフォルダマーク１０８付で表示される。このＮＯ．５の状態で、カレントメニュー領域１０６ｂの「メニューＡ-１“MenuＡ-１”」がジョグダイヤル１０２の回転操作と押し込み操作に応じて決定される（ステップＳ１２）と、ＮＯ．６に示すように、「メニューＡ-１“MenuＡ-１”」を選択したことを示す履歴情報が履歴階層メニュー領域１０６ａに、「--メニューＡ“--MenuＡ”」の下に新たに「---メニューＡ-１“---MenuＡ-１”」と表示され、カレントメニュー領域１０６ｂには「メニューＡ-１“MenuＡ-１”」の下階層の「メニューＡ-１-１“MenuＡ-１-１”」、「メニューＡ-１-２“MenuＡ-１-２”」、「メニューＡ-１-３“MenuＡ-１-３”」、「メニューＡ-１-４“MenuＡ-１-４”」が表示される。「メニューＡ-１-１“MenuＡ-１-１”」及び「メニューＡ-１-４“MenuＡ-１-４”」には、さらに下階層があることを示すフォルダマーク１０８が付されている。このＮＯ．６の状態で、カレントメニュー領域１０６ｂの「メニューＡ-１-１“MenuＡ-１-１”」がジョグダイヤル１０２の回転操作と押し込み操作に応じて決定される（ステップＳ１３）と、図６のＮＯ．１０に示すように、「メニューＡ-１-１“MenuＡ-１-１”」を選択したことを示す履歴情報が履歴階層メニュー領域１０６ａに、「---メニューＡ-１“---MenuＡ-１”」の下に新たに「----メニューＡ-１-１“----MenuＡ-１-１”」と表示され、カレントメニュー領域１０６ｂには「メニューＡ-１-１“MenuＡ-１-１”」の下階層の「メニューＡ-１-１-１“MenuＡ-１-１-１”」、「メニューＡ-１-１-２“MenuＡ-１-１-２”」が表示される。
【００３３】
次に、選択された階層までの直接戻りの具体例について説明する。ＮＯ．２には「メニューＡ“MenuＡ”」を選択したことを示す履歴情報が履歴階層メニュー領域１０６ａの「トップメニュー“TOP Menu”」の下に「--メニューＡ“--MenuＡ”」と表示され、カレントメニュー領域１０６ｂには下階層の「メニューＡ-１“MenuＡ-１”」、「メニューＡ-２“MenuＡ-２”」、「メニューＡ-３“MenuＡ-３”」、「メニューＡ-４“MenuＡ-４”」がフォルダマーク１０８が付されて表示されている。この状態（ＮＯ．２）から履歴階層メニュー領域１０６ａに表示されている「--メニューＡ“--MenuＡ”」がジョグダイヤル１０２の回転操作と押し込み操作に応じて決定される（ステップＳ２１）と、メニュー全体表示領域はＮＯ．４のように「メニューＡ“MenuＡ”」を含むカレントメニュー領域１０６ｂを表示する。また、ＮＯ．３には「メニューＡ-１“MenuＡ-１”」を選択したことを示す履歴情報が履歴階層メニュー領域１０６ａの「--メニューＡ“--MenuＡ”」の下に「---メニューＡ-１“---MenuＡ-１”」と表示され、カレントメニュー領域１０６ｂには下階層の「メニューＡ-１-１“MenuＡ-１-１”」、「メニューＡ-１-２“MenuＡ-１-２”」、「メニューＡ-１-３“MenuＡ-１-３”」、「メニューＡ-１-４“MenuＡ-１-４”」が表示されている。この状態（ＮＯ．３）から履歴階層メニュー領域１０６ａに表示されている「---メニューＡ-１“--MenuＡ-１”」がジョグダイヤル１０２の回転操作と押し込み操作に応じて決定される（ステップＳ２２）と、メニュー全体表示領域はＮＯ．５のように「メニューＡ-１“MenuＡ-１”」を含むカレントメニュー領域１０６ｂを表示する。
【００３４】
次に、図７には、情報処理装置１００の表示部１０３上のメニュー全体表示領域１０６における他の表示例を示す。この他の表示例では、カレントメニュー領域１０６ｂに、リストアップボタン１１０ｕとリストダウンボタン１１０ｄを示している。これらリストアップボタン１１０ｕとリストダウンボタン１１０ｄは、メニューの縦幅が固定の場合で、メニュー項目が同時に収まらない場合にのみ表示され、隠れているメニュー項目の存在を示す。図７の場合には、「メニューＡ-１-１“MenuＡ-１-１”」、「メニューＡ-１-２“MenuＡ-１-２”」、「メニューＡ-１-３“MenuＡ-１-３”」、「メニューＡ-１-４“MenuＡ-１-４”」の他に、他のメニュー、例えば「メニューＡ-１-５“MenuＡ-１-５”」、「メニューＡ-１-６“MenuＡ-１-６”」が存在していることを示す。
【００３５】
リストアップボタン１１０ｕ／リストダウンボタン１１０ｄが表示されたカレントメニュー領域１０６ｂでジョグダイヤル１０２から連続した上下移動のコマンドが行われた場合は、カレントメニュー領域１０６ｂの中央まではスクロール１０９によるフォーカスが移動し、それを超えると後述するようにリスト側がスクロールする。
【００３６】
また、リストアップボタン１１０ｕ／リストダウンボタン１１０ｄはジョグダイヤル１０２で上下の移動を行うコマンドが行われた際に、強調表示される。これは、ユーザの操作のフィードバックになる。この強調表示は、リスト自体がスクロールするときに、特に有効である。
【００３７】
次に、リストアップボタン１１０ｕとリストダウンボタン１１０ｄで囲まれた中での、ジョグダイヤル１０２のコマンドに対応したメニュー表示の具体例について図８を用いて説明する。
【００３８】
先ず、ＮＯ．１１のカレントメニュー領域１０６ｂには、リストアップボタン１１０ｕとリストダウンボタン１１０ｄの間に、「メニューＡ-１-１“MenuＡ-１-１”」、「メニューＡ-１-２“MenuＡ-１-２”」、「メニューＡ-１-３“MenuＡ-１-３”」、「メニューＡ-１-４“MenuＡ-１-４”」が表示されている。これらは履歴階層メニュー領域１０６ａにある「メニューＡ-１“MenuＡ-１”」の下階層メニューである。なお、「メニューＡ-１“MenuＡ-１”」の下階層メニューとしては、「メニューＡ-１-５“MenuＡ-１-５”」、「メニューＡ-１-６“MenuＡ-１-６”」もある。ＮＯ．１１においてカーソル１０９は「メニューＡ-１-１“MenuＡ-１-１”」にフォーカスした状態である。ここで、ジョグダイヤル１０２を下に回す（ステップＳ４１）と、ＮＯ．１２のカレントメニュー領域１０６ｂに示すように、カーソル１０９は「メニューＡ-１-１“MenuＡ-１-１”」の下側の「メニューＡ-１-２“MenuＡ-１-２”」に移動する。さらにジョグダイヤル１０２を下に回す（ステップＳ４２）とカーソル１０９はＮＯ．１３に示すように「メニューＡ-１-２“MenuＡ-１-２”」の下側の「メニューＡ-１-３“MenuＡ-１-３”」に移動する。
【００３９】
さらにジョグダイヤル１０２を下に回す（ステップＳ４３）とカーソル１０９は動かずに、ＮＯ．１４に示すように「メニューＡ-１-３“MenuＡ-１-３”」の下側の「メニューＡ-１-４“MenuＡ-１-４”」がカーソル１０９の位置に移動する。このとき、リストアップボタン１１０ｕとリストダウンボタン１１０ｄの間には、「メニューＡ-１-１“MenuＡ-１-１”」が消え、新たに「メニューＡ-１-５“MenuＡ-１-５”」が表示される。さらに、ジョグダイヤル１０２を下に回す（ステップＳ４４）とＮＯ．１５に示すように「メニューＡ-１-４“MenuＡ-１-４”」の下側の「メニューＡ-１-５“MenuＡ-１-５”」がカーソル１０９の位置に移動する。このとき、リストアップボタン１１０ｕとリストダウンボタン１１０ｄの間には、「メニューＡ-１-３“MenuＡ-１-３”」〜「メニューＡ-１-６“MenuＡ-１-６”」が表示される。さらに、ジョグダイヤル１０２を下に回す（ステップＳ４５）とカーソル１０９はＮＯ．１６に示すように「メニューＡ-１-５“MenuＡ-１-５”」の下側の「メニューＡ-１-６“MenuＡ-１-６”」に移動する。リストアップボタン１１０ｕとリストダウンボタン１１０ｄの間に存在している、「メニューＡ-１“MenuＡ-１”」の下階層メニューは「メニューＡ-１-６“MenuＡ-１-６”」が最後である。さらに、ジョグダイヤル１０２を下に回す（ステップＳ４６）とカーソル１０９はカレントメニュー領域１０６ｂから出て、ＮＯ．１７に示すように、履歴階層メニュー領域１０６ａに表示されている「トップメニュー“TOP Menu”」に移動する。さらに、ステップＳ４７、ステップＳ４８でジョグダイヤル１０２を下にそれぞれ回すと、ＮＯ．１８、ＮＯ．１９に示すように、カーソル１０９は、履歴階層メニュー領域１０６ａに表示されている、「--メニューＡ“--MenuＡ”」、「---メニューＡ-１“---MenuＡ-１”」に移動する。そして、ステップＳ４９でジョグダイヤル１０２を下に回すとカーソル１０９はＮＯ．１１に示すようにカレントメニュー領域１０６ｂの「メニューＡ-１-１“MenuＡ-１-１”」に移動する。
【００４０】
このように、図１に示した情報処理装置１００では、ジョグダイヤル１０２の回転操作、押し込み操作に対応して選択したメニューを階層的に表示することにより、メニュー内の現在位置する履歴階層が表現できる。階層履歴を表示することにより、ユーザのメニュー構造の理解や、操作手順の習熟の容易さが増すというメリットがある。また、辿ってきた特定の階層に、ダイレクトに戻れるという機能の提供が可能となり、更に柔軟性のあるユーザーインターフェースを実現できる。
【００４１】
次に、第２の実施の形態について説明する。この第２の実施の形態は、図９に外観を示すノート型パーソナルコンピュータ１である。このノート型パーソナルコンピュータ１は、基本的に、本体２と、この本体２に対して開閉自在とされる表示部３により構成されている。このノート型パーソナルコンピュータ１の本体２には、各種の文字や記号などを入力するとき操作されるキーボード５、マウスカーソルを移動させるときなどに操作されるポインティングデバイスとしてのタッチパット６、そして電源スイッチ８が、その上面に設けられている。
【００４２】
また、表示部３の正面には、画像を表示するＬＣＤ（Liquid Crystal Display）７が設けられている。さらに、表示部３の右上部には、電源ランプＰＬ、電池ランプＢＬ、必要に応じてメッセージランプＭＬ、その他のＬＥＤよりなるランプが設けられている。
【００４３】
また、本体２上のキーボード５のキーＡ，キーＢ（右端のキー）の間にはジョグダイヤル４が組み込まれている。このジョグダイヤル４は、図１０に示すように、キーＡ，キーＢとほぼ同じ高さになるように取り付けられている。ジョグダイヤル４は、図１０中の矢印ａに示す回転操作に対応して所定の処理を実行し、同図中矢印ｂに示す移動操作に対応して所定の処理を実行する。
【００４４】
このジョグダイヤル４は、本体２の左側面に配置されてもよいのはもちろんである。また、タッチパッド６を人差し指で操作しながら親指で操作可能なようにジョグダイヤルを前面の中央部に配置してもよい。また、ＬＣＤ７が設けられた表示部３の左側面又は右側面に配置してもよい。また、タッチパッド６の左端縁又は右端縁に沿って縦方向に配置してもよい。また、タッチパッド６の上端縁又は下端縁に沿って横方向に配置してもよい。また、タッチパッド６の右ボタンと左ボタンの間に縦方向に配置してもよい。また、キーボード部５のＧキーとＨキーの間に縦方向に配置してもよい。また、縦方向や横方向に限定せず、各指で操作し易い斜め方向へ、所定角度を付けて配置してもよい。さらに、ポインティングデバイスであるマウスの側面の親指で操作可能な位置に配置してもよい。
【００４５】
次に、ノート型パーソナルコンピュータ１の電気的構成例について図１１を用いて説明する。中央処理装置（ＣＰＵ）５１は、例えば、intel社製のPentium（商標）プロセッサ等で構成されて、ホストバス５２に接続されている。ホストバス５２には、さらに、ノースブリッジ５３が接続されており、ノースブリッジ５３は、ＰＣＩバス５６にも接続されている。ノースブリッジ５３は、例えば、intel社製の400BXなどで構成されており、ＣＰＵ５１やメインメモリ５４周辺の制御を行うようになされている。なお、このノースブリッジ５３と後述するサウスブリッジ５８とで、いわゆるチップセットが構成されている。
【００４６】
ノースブリッジ５３は、さらに、メインメモリ５４及びキャッシュメモリ５５とも接続されている。キャッシュメモリ５５は、ＣＰＵ５１が使用するデータをキャッシュするようになされている。なお、図示していないが、ＣＰＵ５１にも１次的なキャッシュメモリが内蔵されている。
【００４７】
メインメモリ５４は、例えば、ＤＲＡＭ（Dynamic Read Only Memory）で構成され、ＣＰＵ５１が実行するプログラムや、ＣＰＵ５１の動作上必要なデータを記憶するようになされている。具体的に、メインメモリ５４には、起動が完了した時点において、例えば電子メールプログラム５４Ａ、オートパイロットプログラム５４Ｂ、ジョグダイヤル状態監視プログラム５４Ｃ、ジョグダイヤルドライバ５４Ｄ、オペレーティングプログラム（ＯＳ）５４Ｅ、その他のアプリケーションプログラム５４Ｆ1〜５４ＦnがＨＤＤ７０から転送され、記憶される。
【００４８】
なお、特に、このノート型パーソナルコンピュータ１は、ジョグダイヤル対応のアプリケーションプログラム５４Ｆ1として、本発明にかかる情報処理方法の具体例が適用される、地図ビューワソフトプログラムを、ＨＤＤ６７から取り出し実行する。この地図ビューワソフトプログラムの具体例としては、ＧＰＳによる現在位置の地図表示ツールであるナビン・ユー（Navin'You）（商標）がある。このナビン・ユーの詳細については、ＵＲＬがhttp://vaio.sony.co.jp/software/NavinYou/top.htmlのインターネットホームページ上に記載されている。以下、抜粋すると、このナビン・ユーは、従来の平面的な地図表示に加え、上空から眺めるように進行に合わせて交差点や表示が近づいてくる、遠近感のあるリアルな視覚で地図を操作できるソフトである。所定の操作によりフライトの高さを自由に調節でき、さらに、ポインタを進行したい方向に進めるだけで高速にスクロールできる。飛行機を操縦しているような感覚で操作することができる。
【００４９】
この地図ビューワソフトプログラムでは、ＬＣＤ７に図１２以降に示すように、地図を表示するのであるが、その際のメニュー表示領域を階層表示にしながらも領域を拡大することなく、地図表示領域が必要以上に隠れるのを防ぐものである。このときの動作例については後述する。
【００５０】
電子メールプログラム５４Ａは、後述するモデム７５を介して電話回線７６のような通信回線などからネットワーク経由で通信文を授受するプログラムである。電子メールプログラム５４Ａは、特定機能としての着信メール取得機能を有している。この着信メール取得機能は、プロバイダ７７が備えるメールサーバ７８に対して、そのメールボックス７９内に自分（利用者）宛のメールが着信しているかどうかを確認して、自分宛のメールがあれば取得する処理を実行する。
【００５１】
オートパイロットプログラム５４Ｂは、予め設定された複数の処理（またはプログラム）などを、予め設定された順序で順次起動して、処理するプログラムである。
【００５２】
ＯＳ（基本プログラムソフトウェア）５４Ｅは、例えばマイクロソフト社のいわゆるWindows９５や９８（共に商標）、アップルコンピュータ社のいわゆるマックＯＳ（商標）等に代表される、コンピュータの基本的な動作を制御するものである。
【００５３】
ジョグダイヤル状態監視プログラム５４Ｃは、前記各アプリケーションからジョグダイヤル対応であるか否かの通知を受け取り、例えば対応であればジョグダイヤル４を操作することで何が行えるかを表示するために動作する。通常、ジョグダイヤル４のイベント待ちになっているし、アプリケーションからの通知を受け取るリストも持っている。ジョグダイヤルドライバ５４Ｄは、ジョグダイヤル４の操作に対応して各種機能を実行する。
【００５４】
ビデオコントローラ５７は、ＰＣＩバス５６に接続されており、そのＰＣＩバス５６を介して供給されるデータに基づいて、表示部３上のＬＣＤ７の表示を制御するようになされている。
【００５５】
ＰＣＩバス５６には、サウンドコントローラ６４が接続され、マイクロホン６６からの入力を取り込み、あるいはスピーカ６５に対して音声信号を供給する。また、ＰＣＩバス５６にはモデム７５も接続されている。モデム７５は、公衆電話回線７６、インターネットサービスプロバイダ７７を介して、インターネット等の通信ネットワーク８０やメールサーバ７８等に接続することができる。
【００５６】
また、ＰＣＩバス５６にはサウスブリッジ５８も接続されている。サウスブリッジ５８は、例えば、intel社製のPIIX4Eなどで構成されており、各種のＩ／Ｏ（Input / Output）を制御するようになされている。即ち、サウスブリッジ５８は、ＩＤＥ（Integrated Drive Electronics）コントローラ／コンフィギュレーションレジスタ５９、タイマ回路６０、およびＩＤＥインターフェース６１等で構成され、ＩＤＥバス６２に接続されるデバイスや、ＩＳＡ／ＥＩＯ（Industry Standard Architecture / Extended Input Output）バス６３およびエンベデットコントローラ６８を介して接続されるデバイスの制御等を行うようになされている。
【００５７】
ＩＤＥコントローラ／コンフィギュレーションレジスタ５９は、いわゆるプライマリＩＤＥコントローラとセカンダリＩＤＥコントローラとの２つのＩＤＥコントローラ、およびコンフィギュレーションレジスタ（configuration register）等から構成されている（いずれも図示せず）。
【００５８】
プライマリＩＤＥコントローラは、ＩＤＥバス６２を介して、コネクタ（図示は省略）に接続しており、コネクタには、ＨＤＤ６７が接続されている。また、セカンダリＩＤＥコントローラは、他のＩＤＥバス等を介して、図示を省略したＣＤ−ＲＯＭドライブや、セカンドＨＤＤ、ＦＤＤなどといった、いわばＩＤＥデバイスであるベイデバイスが装着されたときに、その装着されたベイデバイスのコネクタが電気的に接続されるようになされている。
【００５９】
なお、ＨＤＤ６７には、電子メールプログラム６７Ａ、オートパイロットプログラム６７Ｂ、ジョグダイヤル状態監視プログラム６７Ｃ、ジョグダイヤルドライバ６７Ｄ、ＯＳ（基本プログラムソフトウェア）６７Ｅの他、前記地図ビューワソフトプログラムであるアプリケーションプログラム６７Ｆ1や、その他複数のアプリケーションソフトウェア６７Ｆn等が記憶されている。ＨＤＤ６７内の前記各プログラム６７Ａ、６７Ｂ、６７Ｃ、６７Ｄ、６７Ｅ、６７Ｆ1〜６７Ｆn等は、起動（ブートアップ）処理の過程で、ＲＡＭ５４内に順次転送され、格納される。
【００６０】
ＩＳＡ／ＥＩＯバス６３には、さらに、エンベデットコントローラ６８が接続されている。このエンベデットコントローラ６８は、マイクロコントローラからなりＩ／Ｏコントローラとして使われる。すなわち、エンベデットコントローラ６８は、Ｉ／Ｏインターフェース６９、ＲＯＭ７０、ＲＡＭ７１、ＣＰＵ７２が相互に接続されて構成されている。
【００６１】
ＲＯＭ７０の中には、ＬＥＤ制御プログラム７０Ａ、タッチパッド入力監視プログラム７０Ｂ、キー入力監視プログラム７０Ｃ、ウェイクアッププログラム７０Ｄ、ジョグダイヤル状態監視プログラム７０Ｅが予め格納されている。
【００６２】
ＬＥＤ制御プログラム７０Ａは、電源ランプＰＬ、電池ランプＢＬ、必要に応じてメッセージランプＭＬ、その他のＬＥＤよりなるランプの点灯の制御を行うプログラムである。タッチパッド入力監視プログラム７０Ｂは、タッチパッド６からのユーザによる入力を監視するプログラムである。キー入力監視プログラム７０Ｃは、キーボード５やその他のキースイッチからの入力を監視するプログラムである。ウェイクアッププログラム７０Ｄは、サウスブリッジ５８内のタイマ回路６０から供給される現在時刻データに基づいて、予め設定された時刻になったかどうかをチェックして、設定された時刻になると、所定の処理（またはプログラム）等を起動するために各チップ電源の管理を行うプログラムである。
【００６３】
ジョグダイヤル状態監視プログラム７０Ｅは、ジョグダイヤル４の回転型エンコーダ部１２が回転されたか、或いは押されたかを常に監視するためのプログラムである。
【００６４】
ＲＯＭ７０には、さらにＢＩＯＳ７０Ｆが書き込まれている。ＢＩＯＳ（Basic Input/Output System）とは、基本入出力システムのことをいい、ＯＳやアプリケーションソフトと周辺機器（ディスプレイ、キーボード、ＨＤＤ等）の間でのデータの受け渡し（入出力）を制御するソフトウェアプログラムである。
【００６５】
ＲＡＭ７１は、ＬＥＤ制御、タッチパッド入力ステイタス、キー入力ステイタス、設定時刻用の各レジスタ等や、ジョグダイヤル状態監視用のＩ／Ｏレジスタ等を、レジスタ７１Ａ〜７１Ｆとして有している。例えば、ＬＥＤ制御レジスタ７１Ａは、ジョグダイヤル４が押されて、後述する電子メールの瞬時の立ち上げ状態を表示するメッセージランプＭＬの点灯を制御する。キー入力ステイタスレジスタ７１Ｃは、後述するワンタッチ操作用にジョグダイヤル４が押されると、操作キーフラグが格納されるようになっている。設定時刻レジスタ７１Ｄは、ある時刻を任意に設定することができる。
【００６６】
また、このエンベデットコントローラ６８には、図示を省略したコネクタを介して、ジョグダイヤル４、タッチパッド６、キーボード５がそれぞれ接続されており、ジョグダイヤル４、タッチパッド６、キーボード５それぞれの操作に対応した信号を、ＩＳＡ／ＥＩＯバス６３に出力するようになされている。また、エンベデットコントローラ６８には、電源ランプＰＬ、電池ランプＢＬ、メッセージランプＭＬ、その他のＬＥＤよりなるランプが接続されている。
【００６７】
エンベデットコントローラ６８には、さらに、電源制御回路７３が接続されている。電源制御回路７３は、内蔵バッテリ７４又はＡＣ電源に接続されており、各ブロックに、必要な電源を供給するとともに、内蔵バッテリ７４や、周辺装置のセカンドバッテリの充電のための制御を行うようになされている。また、エンベデットコントローラ６８は、電源をオン又はオフするとき操作される電源スイッチ８を監視している。
【００６８】
エンベデットコントローラ６８は、電源８がオフ状態でも、常に内部電源により、前記各プログラム７０Ａ、７０Ｂ、７０Ｃ、７０Ｄ、７０Ｅを実行することができる。つまり、前記各プログラムは、表示部３のＬＣＤ７上に何のウィンドウが開いて無くても、常時働いている。つまり、エンベデットコントローラ６８は電源スイッチ８がオフでＯＳ５４ＥがＣＰＵ５１で起動していなくても、常時、ジョグダイヤル状態監視プログラム７０Ｅを実行し、特に、詳細は省略するが、ノート型パーソナルコンピュータ１に、専用のキーを設けなくとも、プログラマブルパワーキー（ＰＰＫ）機能を持たせ、例えば省電力状態、あるいは電源オフ時に、ジョグダイヤル４をユーザが押すだけで好みのソフトウェアやスクリプトファイルを起動できるようにしてある。
【００６９】
次に、このノート型パーソナルコンピュータ１がＨＤＤ６７上に格納されている地図ビューワソフトプログラム６７Ｆ1を、ＲＡＭ５４に取り出し（地図ビューワソフトプログラム５４Ｆ1）て実行するときのいくつかの動作例について説明する。動作例としては、図１２及び図１３を用いてナビゲーションメニュー（ナビメニュー「Navi Menu」）の表示、図１４及び図１５を用いてナビゲーションメニューの消去、図１６〜図２４を用いてナビゲーションメニューによる目的地設定、図２５〜図３１を用いてナビゲーションメニューによる目的地設定変更、図３２〜図４０を用いてナビゲーションメニューによるスクロール処理を説明する。ここで、ナビゲーションメニューを表示する領域（以下、ナビゲーションメニュー表示領域）１０６は、前記メニュー全体表示領域１０６に相当する。このナビゲーションメニュー表示領域１０６は、前記履歴階層メニュー領域１０６ａと、カレントメニュー領域１０６ｂに分けられる。
【００７０】
先ず、ナビゲーションメニューの表示と、消去について説明する。図１２に示す地図表示の状態から、右下に表示されている「ナビメニュー“Navi Menu”」ボタン１２０上にカーソルをタッチパット６で移動してからクリックボタンを押下するか、或いはマウスでカーソルを移動してから右ボタンでクリックすると図１３に示すナビゲーションメニューが表示される。また、ジョグダイヤル４の上又は下への回転操作や、押し込み操作、或いはキーボード上の「上矢印ボタン」の押下操作に対応させてナビゲーションメニューが表示されるように設定してもよい。ナビゲーションメニューの表示、すなわち「ナビメニュー“Navi Menu”」１２１は、履歴階層メニュー領域１０６ａに示される。
【００７１】
次に、ナビゲーションメニューを非表示にするときには、図１４に示す地図表示の状態から、履歴階層メニュー領域１０６ａ上に表示されている「ナビメニュー“Navi Menu”」１２１上にカーソルをタッチパット６で移動してからクリックボタンを押下するか、或いはマウスでカーソルを移動してから右ボタンでクリックすると図１５に示すようにナビゲーションメニューが消去される。また、「ナビメニュー“Navi Menu”」１２１上にカーソルを合わせてから、キーボード上の「エンタキー」、「スペースキー」を押下してナビゲーションメニューが消去されるように設定してもよい。
【００７２】
次に、ナビゲーションメニューによる目的地設定について説明する。図１６に示すように、履歴階層メニュー領域１０６ａに「ナビメニュー“Navi Menu”」１２１（ナビゲーションメニュー）が表示された状態からジョグダイヤル４を回転操作してカーソルを、カレントメニュー領域１０６ｂ中の「住所で目的地を選ぶ」に移動し、ジョグダイヤル４を押し込んで決定すると、図１７に示すように、ナビゲーションメニュー表示領域１０６の履歴階層メニュー領域１０６ａには「住所で目的地を選ぶ」が履歴情報として表示され、カレントメニュー領域１０６ｂにはリストアップボタン１１０ｕとリストダウンボタン１１０ｄに挟まれて、「北海道」から「新潟県」までが表示される。ここで表示された各都道府県名の前には下階層を持つことを示すフォルダマーク１０８が付されている。初期状態では、「北海道」にカーソル１０９がフォーカスしている。
【００７３】
図１８に示すように、カレントメニュー領域１０６ｂに表示されている、「東京都」に、ジョグダイヤル４の操作に応じてカーソル１０９を移動しようとすると、カレントメニュー領域１０６ｂの中央部にカーソル１０９が移動し、それを超えるとリスト側がスクロールし、中央部に「東京都」が位置する。このとき、リストアップボタン１１０ｕとリストダウンボタン１１０ｄの中には、「東京都」が上に４行分スクロールしたことにより、リストアップボタン１１０ｕ側から「北海道」と「青森県」と「秋田県」と「岩手県」が消え、リストダウンボタン１１０ｄ側に「富山県」と「岐阜県」と「石川県」と「福井県」が入ってくる。
【００７４】
「東京都」にカーソル１０９がフォーカスし、ジョグダイヤル４が押し込まれて選択が決定されると、図１９に示すように、履歴階層メニュー領域１０６ａには「東京都」が履歴情報として「住所で目的地を選ぶ」の下に表示される。このとき、カレントメニュー領域１０６ｂには、「東京都」の下階層情報となる、「青ヶ島村」から「国立市」までが表示される。初期状態においてカーソル１０９は「青ヶ島村」にフォーカスされている。
【００７５】
そして、図２０に示すように、「大田区」までカーソル１０９を移動しようとすると、カレントメニュー領域１０６ｂの中央部にカーソル１０９が移動し、それを超えるとリスト側がスクロールし、中央部に「大田区」が位置する。このとき、リストアップボタン１１０ｕとリストダウンボタン１１０ｄの中には、「大田区」が上に２行分スクロールしたことにより、リストアップボタン１１０ｕ側から「青ヶ島村」と「昭島市」が消え、リストダウンボタン１１０ｄ側に「神津島村」と「江東区」が入ってくる。
【００７６】
「大田区」にカーソル１０９がフォーカスし、ジョグダイヤル４が押し込まれて選択が決定されると、図２１に示すように、履歴階層メニュー領域１０６ａには「大田区」が履歴情報として「東京都」の下に表示される。このとき、カレントメニュー領域１０６ｂには、「大田区」の下階層情報となる、「池上」から「北嶺町」までが表示される。初期状態においてカーソル１０９は「池上」にフォーカスしている。
【００７７】
そして、図２２に示すように、「蒲田」までカーソル１０９を移動しようとすると、カレントメニュー領域１０６ｂの中央部にカーソル１０９が移動し、それを超えるとリスト側がスクロールし、中央部に「蒲田」が位置する。このとき、リストアップボタン１１０ｕとリストダウンボタン１１０ｄの中には、「蒲田」が上に２行分スクロールしたことにより、リストアップボタン１１０ｕ側から「池上」と「石川町」が消え、リストダウンボタン１１０ｄ側に「久が原」と「京浜島」が入ってくる。
【００７８】
「蒲田」にカーソル１０９がフォーカスし、ジョグダイヤル４が押し込まれて選択が決定されると、図２３に示すように、履歴階層メニュー領域１０６ａには「蒲田」が履歴情報として「大田区」の下に表示される。このとき、カレントメニュー領域１０６ｂには、「蒲田」の下階層情報となる、番地情報「１−１」から「１−１５」までが表示される。初期状態においてカーソル１０９は「１−１」にフォーカスされている。
【００７９】
そして図２３においてジョグダイヤル４の操作により番地の選択が決定されると、図２４に示すように、地図上には、現在地をスタート（START）、目的地「東京都大田区蒲田＃−＃」をゴールフラッグマークＧＦで表示する。ここで、「＃−＃」には、番地情報「１−１」から「１−１５」のうちのいずれかが入る。
【００８０】
次に、ナビゲーションメニューによる目的地設定変更について説明する。ここでは、図２５に示した状態からの目的地設定変更とする。図２５では、履歴階層メニュー領域１０６ａに、「住所で目的地を選ぶ」、「東京都」、「大田区」、「蒲田」という階層の履歴情報が表示され、カレントメニュー領域１０６ｂに、「蒲田」の番地情報「１−１」〜「１−１５」が表示されている。先ず、目的地の「区」の設定を変更するには、図２６に示すように、履歴階層メニュー領域１０６ａに表示されている「大田区」をジョグダイヤル４の操作に応じて選択する。すると、図２７に示すように、カレントメニュー領域１０６ｂには、「大田区」を含む、「区」（この場合、村、市も含む）が、「青ヶ島村」から「国立市」まで表示される。
【００８１】
そして、図２８に示すように、「渋谷区」までカーソル１０９を移動しようとすると、カレントメニュー領域１０６ｂの中央部にカーソル１０９が移動し、それを超えるとリスト側がスクロールし、中央部に「渋谷区」が位置する。このとき、リストアップボタン１１０ｕとリストダウンボタン１１０ｄの中では、図２７の状態で、表示されていなかった「渋谷区」が上に１６行分スクロールしたことにより、リストアップボタン１１０ｕ側から「青ヶ島村」〜「清瀬市」が消え、リストダウンボタン１１０ｄ側に「神津島村」〜「多摩市」が入ってくる。
【００８２】
「渋谷区」にカーソル１０９がフォーカスし、ジョグダイヤル４が押し込まれて選択が決定されると、図２９に示すように、履歴階層メニュー領域１０６ａには「渋谷区」が履歴情報として「東京都」の下に表示される。このとき、カレントメニュー領域１０６ｂには、「渋谷区」の下階層情報となる、「上原」から「神南」までが表示される。初期状態においてカーソル１０９は「上原」にフォーカスしている。
【００８３】
そして、図３０に示すように、「恵比寿」までジョグダイヤル４を使ってカーソル１０９を移動し、選択を決定すると、図３１に示すように、履歴階層メニュー領域１０６ａに、「恵比寿」という階層履歴情報が、「渋谷区」の下に表示され、カレントメニュー領域１０６ｂには、番地情報が「１−１」〜「１−１５」と表示される。ここで、ジョグダイヤル４の操作により番地の選択が決定されると、図示を省略するが、地図上には現在地をスタート（START）、目的地「東京都渋谷区恵比寿＃−＃」をゴールフラッグマークで表示する。
【００８４】
次に、ナビゲーションメニューによるスクロール処理について説明する。ここでの説明は、図３２の履歴階層メニュー領域１０６ａに表示されているように「住所で目的地を選ぶ」というメニューに対応した、カレントメニュー領域１０６ｂにおける都道府県名表示を例にして行う。初期状態では、カーソル１０９は、「北海道」にフォーカスしているが、ジョグダイヤル４の下方向への回転操作に伴ってカーソル１０９は図３３に示すように途中においては下側の「岩手県」に移動し、さらにジョグダイヤル４の下方向への回転操作に伴って、図３４に示すようにカレントメニュー領域１０６ｂの中央部の「茨城県」まで移動する。カーソル１０９のフォーカスがカレントメニュー領域１０６ｂの中央部を超えると、カーソル自体は動かずに、都道府県名のリストが図３５、図３６及び図３７に示すようにスクロールする。そして、図３７の状態、すなわち「高知県」が中央部のカーソル１０９の位置にくると、リストアップボタン１１０ｕとリストダウンボタン１１０ｄの間のカレントメニュー領域１０６ｂには「沖縄県」を最後に全ての都道府県名が表示されるので、隠れている都道府県名はなくなり、リスト側のスクロールは停止する。ここで、さらにジョグダイヤル４の回転操作が続いていれば、カーソル１０９は図３８から図３９に示すように、「熊本県」から「沖縄県」まで移動し、最後に図４０に示すようにカレントメニュー領域１０６ｂから消えて履歴階層メニュー領域１０６ａ上の「ナビメニュー“Navi Menu”」１２１に移動する。
【００８５】
リストアップボタン１１０ｕ／リストダウンボタン１１０ｄはジョグダイヤル４で上下の移動を行うコマンドが行われた際に、強調表示される。これは、ユーザの操作のフィードバックになる。この強調表示は、上述したようにリスト自体がスクロールするときに、特に有効である。
【００８６】
このように、図９に示したノート型パーソナルコンピュータ１では、ジョグダイヤル４の回転操作、押し込み操作に対応した階層メニュー表示を、地図ビューワソフトプログラムに適用することができるので、地図ビューワソフトプログラムに関するメニュー内の現在位置する履歴階層が表現できる。階層履歴を表示することにより、ユーザの地図ビューワソフトプログラムに関するメニュー構造の理解や、操作手順の習熟の容易さが増すというメリットがある。また、辿ってきた特定の階層に、ダイレクトに戻れるという機能の提供が可能となり、更に柔軟性のあるユーザーインターフェースを実現できる。
【００８７】
次に、第３の実施の形態について説明する。この第３の実施の形態は、図４１に示す携帯電話装置１０である。この携帯電話装置１０は、筐体の上面に送信用のアンテナ１１が設けられ、筐体の正面の上部と下部に受話器１２と送話器１３とが設けられる。また、受話器１２と送話器１３との間には、ダイヤルキー１４や、液晶表示素子を用いたディスプレイ１５が設けられる。
【００８８】
また、図４１に示す携帯電話装置１０には、回動が可能であると共に半径方向に移動可能な円形のつまみを備えたジョグダイヤル１６が設けられる。このジョグダイヤル１６は、その回動によるカーソルの移動機能と、半径方向のプッシュによるノンロック式の決定キーとしての機能を有する。ジョグダイヤル１６は、携帯電話装置に備えられた各種機能を行うために使われる。例えば、ジョグダイヤル１６を操作して登録された電話番号の表示画面への切り替えや、表示された番号の選択を行うことができる。いわゆる電話帳機能であり、登録した電話番号を順次、ディスプレイ１５に表示し、所望の電話番号を選択して発信することができる。
【００８９】
ジョグダイヤル１６の操作による登録された電話番号の表示及び選択の方法としては、以下の方法がある。
【００９０】
第１の方法は五十音の行グループ別に電話番号が登録されている場合である。この場合、第１段階としてジョグダイヤルの回転操作によって五十音のあかさなた・・・の各行グループを表示画面にスクロールさせながら表示して所望の行グループをジョグダイヤルの押し込み操作によって選択し、次に、第２段階として選択した行グループに含まれる登録した電話番号をジョグダイヤルの回転操作によって表示画面にスクロールさせながら表示して所望の電話番号をジョグダイヤルの押し込み操作によって選択する。
【００９１】
第２の方法は個人毎の個別のグループ別に電話番号が登録されている場合である。この場合、第１段階としてジョグダイヤルの回転操作によって各グループを表示画面にスクロールさせながら表示して所望のグループをジョグダイヤルの押し込み操作によって選択し、次に、第２段階として選択したグループに含まれる五十音順に登録された電話番号をジョグダイヤルの回転操作によって表示画面にスクロールさせながら表示して所望の電話番号をジョグダイヤルの押し込み操作によって選択する。
【００９２】
図４１に示した携帯電話装置１０は、前記第１の方法、第２の方法ともに、ジョグダイヤル１６とディスプレイ１５を用いて行うことができる。さらに、この携帯電話装置１０は、電話番号の選択と表示を行うためのメニュー表示領域を階層表示にしながらも領域を拡大することなくディスプレイ１５に示すことができる。この動作については後述する。
【００９３】
図４２には携帯電話装置１０の電気的構成を示す。この図４２において、前記図４１に対応する部分には同一の符号を付して一部説明を省略する。
【００９４】
図４２において、携帯電話装置１０のアンテナ１１と高周波送受信回路２１とが接続されて、高周波送信信号及び高周波受信信号の授受が行われると共に、高周波送受信回路２１とベースバンド処理回路２２とが接続されて、送信信号及び受信信号の授受が行われる。
【００９５】
ベースバンド処理回路２２は、音声増幅回路２３、２４を介して、受話器１２及び送話器１３とそれぞれ接続されて、音声信号の授受が行われると共に、システム制御回路（ＣＰＵ）３１と接続されて、制御信号の授受が行われる。
【００９６】
システム制御回路３１には、ダイヤルキー１４及びジョグダイヤル１６を含む操作部と、文字入力ルーチンを含む、各種のプログラムを格納したＲＯＭ３２が接続される。また、駆動回路３３を介して、液晶表示装置（ＬＣＤ）１５が接続されて、入力文字が表示される。なお、電池３９から各部の動作に必要な電力が供給される。
【００９７】
ＲＯＭ３２には、ジョグダイヤル１６の操作による登録された電話番号の表示及び選択の方法に基づく電話帳プログラムが格納されている。特に、この電話帳プログラムは、五十音のグループ別に電話番号を表示及び選択させる第１の方法と、個別グループ別に電話番号を表示及び選択させる第２の方法とにメニューを分ける。このとき、上述したように、電話番号の選択と表示を行うためのメニュー表示領域を階層表示にしながらも領域を拡大することなく表示部１５に示すことができる
ＲＯＭ３２に格納された前記電話帳プログラムは、システム制御部３１によって実行される。以下、この携帯電話装置１０のシステム制御部３１が電話帳プログラムを実行したときの動作及び表示部１５上の具体例について図４３〜図４８を用いて説明する。
【００９８】
先ず、ダイヤルキー１４や、他の操作キー又はジョグダイヤル１６の内の、所定の操作キーによって、前記電話帳プログラムの実行が指示されると、システム制御部３１が前記プログラムを実行し、ディスプレイ１５上に図４３（ａ）に示すメニュー全体表示領域１０６が表示される。メニュー全体表示領域１０６は、上述したように、履歴階層メニュー領域１０６ａと、カレントメニュー領域１０６ｂに分けられており、履歴階層メニュー領域１０６ａには、「電話帳トップメニュー」が表示され、カレントメニュー領域１０６ｂには、前記第１の方法に基づく「五十音グループ」メニュー、第２の方法に基づく「個別グループ」メニューがそれぞれフォルダマーク１０８付で表示される。初期状態では、「五十音グループ」メニューにカーソル１０９がフォーカスしている。
【００９９】
図４３（ａ）に示したカーソル１０９のフォーカス状態で、ジョグダイヤル１６が押し込まれて選択が決定されると、図４３（ｂ）に示すように、履歴階層メニュー領域１０６ａには「五十音グループ」という階層履歴情報が「電話帳トップメニュー」の下に表示され、カレントメニュー領域１０６ｂにはリストアップボタン１１０ｕとリストダウンボタン１１０ｄの中に、「あ」，「か」，「さ」，「た」，「な」及び「は」行がフォルダマーク１０８付で表示される。初期状態では「あ」行にカーソル１０９がフォーカスしている。
【０１００】
次に、図４３（ｃ）に示すように、ジョグダイヤル１６の下方向への回転操作にしたがってカーソル１０９が「か」行に移動され、ジョグダイヤル１６が押し込まれて選択が決定されると、図４４（ａ）に示すように、履歴階層メニュー領域１０６ａには「か行」という階層履歴情報が「五十音グループ」の下に表示され、カレントメニュー領域１０６ｂのリストアップボタン１１０ｕとリストダウンボタン１１０ｄの間には「か行」の各登録名称と電話番号が表示される。初期状態においては最上部の「加藤」にカーソル１０９がフォーカスしている。
【０１０１】
そして、図４４（ｂ）に示すように、ジョグダイヤル１６の回転操作によりカーソル１０９が「木村」に移動され、ジョグダイヤル１６の押し込み操作により選択が決定されると、「木村」への発信が自動的に行われる。
【０１０２】
ここで、電話先を変更するときには、図４４（ｃ）に示すように、履歴階層メニュー領域１０６ａに表示されている「-か行」にカーソル１０９が移動され、決定される。すると、図４５（ａ）に示すように、カレントメニュー領域１０６ｂには、リストアップボタン１１０ｕとリストダウンボタン１１０ｄの間に、「か行」を含めた「あ」，「か」，「さ」，「た」，「な」及び「は」行がフォルダマーク１０８付で表示される。初期状態では「あ」行にカーソル１０９がフォーカスしている。
【０１０３】
そして、図４５（ｂ）に示すように、カレントメニュー領域１０６ｂに表示されている、「さ」行にカーソル１０９が移動され、決定されると、図４５（ｃ）に示すように、履歴階層メニュー領域１０６ａには「-さ行」の選択を示す階層履歴情報が「五十音グループ」の」下に表示され、カレントメニュー領域１０６ｂには、「さ行」の各登録名称と電話番号が表示される。初期状態においては最上部の「佐藤」にカーソル１０９がフォーカスしている。
【０１０４】
そして、図４６（ａ）に示すように、ジョグダイヤル１６の回転操作によりカーソル１０９が「佐々木」に移動され、ジョグダイヤル１６の押し込み操作により選択が決定されると、「佐々木」への発信が自動的に行われる。
【０１０５】
次に、前記図４６（ａ）に示した状態から、前記第２の方法に基づく、個別グループの電話番号の表示及び選択に変更する具体例について説明する。図４６（ｂ）に示すように、履歴階層メニュー領域１０６ａに表示されている「-五十音グループ」にカーソル１０９を移動して選択を決定すると、図４６（ｃ）に示すように、カレントメニュー領域１０６ｂには、「五十音グループ」を含め「個別グループ」もフォルダマーク１０８付で表示される。初期状態では「五十音グループ」にカーソル１０９がフォーカスしている。
【０１０６】
そして、図４７（ａ）に示すように、ジョグダイヤル１６の回転操作、押し込み操作にしたがってカーソル１０９が「個別グループ」に移動され、選択が決定されると、図４７（ｂ）に示すように、履歴階層メニュー領域１０６ａには、「-個別グループ」の選択を示す階層履歴情報が「電話帳トップメニュー」の下に表示される。初期状態においてカレントメニュー領域１０６ｂでは、最上行の「友人」にカーソル１０９がフォーカスしている。
【０１０７】
図４７の（ｃ）に示すように、ジョグダイヤル１６の回転操作に応じてカーソル１０９が「会社」に移動され、ジョグダイヤル１６の押し込み操作に応じて選択が決定されると、図４８（ａ）に示すように、履歴階層メニュー領域１０６ａには、「--会社」の選択を示す階層履歴情報が「-個別グループ」の下に表示される。このとき、カレントメニュー領域１０６ｂにはリストアップボタン１１０ｕとリストダウンボタン１１０ｄの間に、「会社」の各登録名称と電話番号が表示される。初期状態においては最上部の「安部」にカーソル１０９がフォーカスしている。この状態で、ジョグダイヤル１６が押し込み操作により選択が決定されると、「安部」への発信が自動的に行われる。
【０１０８】
ここで、電話先を変更するときには、図４８（ｂ）に示すように、履歴階層メニュー領域１０６ａに表示されている「--会社」にカーソル１０９が移動され、決定される。すると、図４８（ｃ）に示すように、カレントメニュー領域１０６ｂには、「友人」、「会社」、「親戚」がフォルダマーク１０８を付して表示される。初期状態においてカレントメニュー領域１０６ｂでは、最上行の「友人」にカーソル１０９がフォーカスしている。
【０１０９】
このように、図４１に示した携帯電話装置１０では、ジョグダイヤル１６の回転操作、押し込み操作に対応した階層メニュー表示を、電話帳プログラムに適用することができるので、電話帳プログラムに関するメニュー内の現在位置する履歴階層が表現できる。階層履歴を表示することにより、ユーザの電話帳プログラムに関するメニュー構造の理解や、操作手順の習熟の容易さが増すというメリットがある。また、辿ってきた特定の階層に、ダイレクトに戻れるという機能の提供が可能となり、更に柔軟性のあるユーザーインターフェースを実現できる。
【０１１０】
なお、前記第１〜第３の実施の形態では、ユーザーインターフェースデバイスをいずれも、単一軸制御のジョグダイヤルとしたが、本発明では、ジョグダイヤルにのみ限定するものではなく、他の操作キー、例えば十字キー等を用いてもよい。
【０１１１】
また、適用するソフトプログラムとしては、地図ビューワプログラムや、電話帳プログラムを挙げたが、階層メニュー表示により、情報が表示及び選択されるものであれば、それらに限定されるものではない。特に、メニューの表示領域に制限のあるものに適する。
【０１１２】
例えば、画像整形プログラムや、画像取り込みプログラムにおいて、画像表示領域に影響を与えず、決まった大きさのメニュー表示領域内で、メニューの表示及び選択を階層的に行う場合に有効である。
【図面の簡単な説明】
【０１１３】
【図１】本発明の第１の実施の形態となる、情報処理装置を示すブロック図である。
【図２】ジョグダイヤルを説明するための図である。
【図３】前記情報処理装置が機能するメニューシステムの遷移図である。
【図４】前記情報処理装置の表示部上のメニュー表示を説明するための第１の図である。
【図５】前記メニュー表示の具体例における第１の遷移図である。
【図６】前記メニュー表示の具体例における第２の遷移図である。
【図７】前記情報処理装置の表示部上のメニュー表示を説明するための第２の図である。
【図８】前記メニュー表示の具体例における第３の遷移図である。
【図９】本発明の第２の実施の形態となる、ノート型パーソナルコンピュータを示す外観斜視図である。
【図１０】前記ノート型パーソナルコンピュータに取り付けたジョグダイヤル付近の拡大図である。
【図１１】前記ノート型パーソナルコンピュータの電気的構成図である。
【図１２】前記ノート型パーソナルコンピュータにおける、ＬＣＤ上の第１の表示例を示す図である。
【図１３】前記ノート型パーソナルコンピュータにおける、ＬＣＤ上の第２の表示例を示す図である。
【図１４】前記ノート型パーソナルコンピュータにおける、ＬＣＤ上の第３の表示例を示す図である。
【図１５】前記ノート型パーソナルコンピュータにおける、ＬＣＤ上の第４の表示例を示す図である。
【図１６】前記ノート型パーソナルコンピュータにおける、ＬＣＤ上の第５の表示例を示す図である。
【図１７】前記ノート型パーソナルコンピュータにおける、ＬＣＤ上の第６の表示例を示す図である。
【図１８】前記ノート型パーソナルコンピュータにおける、ＬＣＤ上の第７の表示例を示す図である。
【図１９】前記ノート型パーソナルコンピュータにおける、ＬＣＤ上の第８の表示例を示す図である。
【図２０】前記ノート型パーソナルコンピュータにおける、ＬＣＤ上の第９の表示例を示す図である。
【図２１】前記ノート型パーソナルコンピュータにおける、ＬＣＤ上の第１０の表示例を示す図である。
【図２２】前記ノート型パーソナルコンピュータにおける、ＬＣＤ上の第１１の表示例を示す図である。
【図２３】前記ノート型パーソナルコンピュータにおける、ＬＣＤ上の第１２の表示例を示す図である。
【図２４】前記ノート型パーソナルコンピュータにおける、ＬＣＤ上の第１３の表示例を示す図である。
【図２５】前記ノート型パーソナルコンピュータにおける、ＬＣＤ上の第１４の表示例を示す図である。
【図２６】前記ノート型パーソナルコンピュータにおける、ＬＣＤ上の第１５の表示例を示す図である。
【図２７】前記ノート型パーソナルコンピュータにおける、ＬＣＤ上の第１６の表示例を示す図である。
【図２８】前記ノート型パーソナルコンピュータにおける、ＬＣＤ上の第１７の表示例を示す図である。
【図２９】前記ノート型パーソナルコンピュータにおける、ＬＣＤ上の第１９の表示例を示す図である。
【図３０】前記ノート型パーソナルコンピュータにおける、ＬＣＤ上の第２０の表示例を示す図である。
【図３１】前記ノート型パーソナルコンピュータにおける、ＬＣＤ上の第２１の表示例を示す図である。
【図３２】前記ノート型パーソナルコンピュータにおける、ＬＣＤ上の第２２の表示例を示す図である。
【図３３】前記ノート型パーソナルコンピュータにおける、ＬＣＤ上の第２３の表示例を示す図である。
【図３４】前記ノート型パーソナルコンピュータにおける、ＬＣＤ上の第２４の表示例を示す図である。
【図３５】前記ノート型パーソナルコンピュータにおける、ＬＣＤ上の第２５の表示例を示す図である。
【図３６】前記ノート型パーソナルコンピュータにおける、ＬＣＤ上の第２６の表示例を示す図である。
【図３７】前記ノート型パーソナルコンピュータにおける、ＬＣＤ上の第２７の表示例を示す図である。
【図３８】前記ノート型パーソナルコンピュータにおける、ＬＣＤ上の第２８の表示例を示す図である。
【図３９】前記ノート型パーソナルコンピュータにおける、ＬＣＤ上の第２９の表示例を示す図である。
【図４０】前記ノート型パーソナルコンピュータにおける、ＬＣＤ上の第３０の表示例を示す図である。
【図４１】本発明の第３の実施の形態となる、携帯電話装置を示す外観斜視図である。
【図４２】前記携帯電話装置の電気的構成図である。
【図４３】前記携帯電話装置の表示部における第１の表示例を示す図である。
【図４４】前記携帯電話装置の表示部における第２の表示例を示す図である。
【図４５】前記携帯電話装置の表示部における第３の表示例を示す図である。
【図４６】前記携帯電話装置の表示部における第４の表示例を示す図である。
【図４７】前記携帯電話装置の表示部における第５の表示例を示す図である。
【図４８】前記携帯電話装置の表示部における第６の表示例を示す図である。
【符号の説明】
【０１１４】
１  ノート型パーソナルコンピュータ、４  ジョグダイヤル、７  ＬＣＤ、１０  携帯電話装置、１５  ＬＣＤ、１６  ジョグダイヤル、１００  情報処理装置、１０２  操作部（ジョグダイヤル）、１０３  表示部、１０６  メニュー全体表示領域、１０６ａ  履歴階層メニュー領域、１０６ｂ  カレントメニュー領域１０６ｂ、１０８  フォルダマーク、１０９  カーソル、１１０ｕ  リストアップボタン、１１０ｄ  リストダウンボタン
【図１】
2008009456.tif 000003
【図２】
2008009456.tif 000004
【図３】
2008009456.tif 000005
【図４】
2008009456.tif 000006
【図５】
2008009456.tif 000007
【図６】
2008009456.tif 000008
【図７】
2008009456.tif 000009
【図８】
2008009456.tif 000010
【図９】
2008009456.tif 000011
【図１０】
2008009456.tif 000012
【図１１】
2008009456.tif 000013
【図１２】
2008009456.tif 000014
【図１３】
2008009456.tif 000015
【図１４】
2008009456.tif 000016
【図１５】
2008009456.tif 000017
【図１６】
2008009456.tif 000018
【図１７】
2008009456.tif 000019
【図１８】
2008009456.tif 000020
【図１９】
2008009456.tif 000021
【図２０】
2008009456.tif 000022
【図２１】
2008009456.tif 000023
【図２２】
2008009456.tif 000024
【図２３】
2008009456.tif 000025
【図２４】
2008009456.tif 000026
【図２５】
2008009456.tif 000027
【図２６】
2008009456.tif 000028
【図２７】
2008009456.tif 000029
【図２８】
2008009456.tif 000030
【図２９】
2008009456.tif 000031
【図３０】
2008009456.tif 000032
【図３１】
2008009456.tif 000033
【図３２】
2008009456.tif 000034
【図３３】
2008009456.tif 000035
【図３４】
2008009456.tif 000036
【図３５】
2008009456.tif 000037
【図３６】
2008009456.tif 000038
【図３７】
2008009456.tif 000039
【図３８】
2008009456.tif 000040
【図３９】
2008009456.tif 000041
【図４０】
2008009456.tif 000042
【図４１】
2008009456.tif 000043
【図４２】
2008009456.tif 000044
【図４３】
2008009456.tif 000045
【図４４】
2008009456.tif 000046
【図４５】
2008009456.tif 000047
【図４６】
2008009456.tif 000048
【図４７】
2008009456.tif 000049
【図４８】
2008009456.tif 000050